(57)【要約】【課題】配光ずれを抑制したサイドエッジライト方式の導光板を有する表示装置を提供する。【解決手段】クラスタＣ１のＹ軸方向反射面Ｓ１、クラスタＣ２のＸ軸方向反射面Ｓ２及びクラスタＣ３のＹ軸方向反射面Ｓ１ａ、Ｘ軸方向反射面Ｓ２は、９０°格子Ｇ２の交点を避けて９０°格子Ｇ２の格子線に沿って位置している。クラスタＣ１のＹ軸方向直線溝がクラスタＣ３の矩形状溝と同一線上に対応している場合、クラスタＣ１のＹ軸方向反射面Ｓ１はクラスタＣ３のＹ軸方向反射面Ｓ３ａと同一線上に配置され、ずれはない（ΔＸ＝０）。クラスタＣ２のＸ軸方向直線溝がクラスタＣ３の矩形状溝と同一線上に対応している場合、クラスタＣ２のＸ軸方向反射面Ｓ２はクラスタＣ３のＸ軸方向反射面Ｓ３ｂと同一線上に配置され、ずれはない（ΔＹ＝０）。【選択図】        図１
2018197802.tif 000002
【特許請求の範囲】
【請求項１】
導光板と、
前記導光板の複数の入光端面側に設けられ、出射光の方向が異なる複数の光源と、
前記導光板の反出光面に設けられ、前記各光源の光によって照射され該光を前記導光板の出光面へ反射させる複数の表示パターンと
を具備し、
１個の前記表示パターンのみが存在する非重複領域には、当該表示パターンの光源の出射光に対向して傾斜した反射面を有する直線状溝よりなる第１のクラスタを設け、
２個以上の前記表示パターンが重複して存在する重複領域には、当該重複する各表示パターンの前記光源の出射光に対向して傾斜した反射面を有する多角形状溝よりなる第２のクラスタを設け、
前記直線状溝の反射面と前記多角形状溝の反射面とが同一線上に配置されていることを含む表示装置。
【請求項２】
前記第１、第２のクラスタは同一の格子の交点を避けて前記格子の格子線に沿って位置する請求項１に記載の表示装置。
【請求項３】
２個の前記表示パターンが重複する前記重複領域の前記第２のクラスタの多角形状溝は平行四辺形状溝である請求項１に記載の表示装置。
【請求項４】
ｎ（≧３）個の前記表示パターンが重複する前記重複領域の前記第２のクラスタの多角形状溝はｎ角形状溝である請求項１に記載の表示装置。
【請求項５】
前記多角形状溝の各内角は１８０°未満である請求項１に記載の表示装置。
【発明の詳細な説明】
【技術分野】
【０００１】
本発明は、サイドエッジライト方式によって導光板を面発光させて表示パターンを表示する表示装置に関する。
【背景技術】
【０００２】
遊技機等の表示装置として、サイドエッジライト方式を用いて導光板を面発光させて導光板に形成された表示パターンを表示する表示装置がある。
【０００３】
図６は導光板を用いた表示装置の表示原理を示し、（Ａ）は全体断面図、（Ｂ）は（Ａ）のクラスタの斜視図である。
【０００４】
図６の（Ａ）に示すように、導光板１０１の入光端面１０１ａ側に光源１０２を設け、導光板１０１の反出光面１０１ｂに図６の（Ｂ）に示す三角柱状の微小なドット溝（以下、クラスタという）１０３を形成する。この結果、導光板１０１の入光端面１０１ａに入射した光源１０２からの光Ｌ１０１はクラスタ１０３の傾斜した反射面１０３１で全反射して図６の（Ａ）の上方に向って導光板１０１の出光面１０１ｃから出射する。従って、クラスタ１０３を多数配置して表示パターンを形成すると、出光面１０１ｃ側の観察者１０４は多数の微小なクラスタ１０３よりなる表示パターンを視認できる（参照：特許文献１の図１２、特許文献２の図１Ａ）。
【０００５】
上述の表示パターンを複数表示する場合に、１つの導光板にクラスタの反射面の方向が異なる２つの表示パターンを形成し、２つの光源から２方向の光を入射する表示装置がある。
【０００６】
図７は従来の表示装置を示す全体平面図、図８は図７の円ＶＩＩＩ内の部分拡大平面図である（参照：特許文献３）。
【０００７】
図７に示すように、光源２として導光板１の入光端面１ａ側に複数の発光ダイオード（ＬＥＤ）パッケージ２１、２２、…、２５を１列に設け、また、光源３として導光板１の入光端面１ａに直交する入光端面１ｂ側に複数のＬＥＤパッケージ３１、３２、…、３５を１列に設けてある。ＬＥＤパッケージ２１、２２、…、２５からの光Ｌａは導光板１の反出光面１ｃに設けられた“Ａ”の表示パターンＤＰＡを照射し、また、ＬＥＤパッケージ３１、３２、…、３５からの光Ｌｂは導光板１の反出光面１ｃに設けられた“Ｂ”の表示パターンＤＰＢを照射する。
【０００８】
図８に示すごとく、表示パターンＤＰＡは９０°格子Ｇ１の交点上に形成されたＹ方向直線状溝よりなる多数のクラスタＣ１及び後述のクラスタＣ３によって構成され、また、表示パターンＤＰＢは９０°格子Ｇ１の交点上に形成されたＸ方向直線状溝よりなる多数のクラスタＣ２及び後述のクラスタＣ３によって構成されている。この場合、クラスタＣ１の密度とクラスタＣ２の密度とは同一であり、クラスタＣ１、Ｃ２の中心は９０°格子Ｇ１の交点に位置する。図９の（Ａ）に示すごとく、クラスタＣ１は光Ｌａに対向して傾斜したＹ方向反射面Ｓ１を有する。尚、クラスタＣ１の他の３つの傾斜面は光Ｌａに対向していないので、反射面として作用しない。また、図９の（Ｂ）に示すごとく、クラスタＣ２は光Ｌｂに対向して傾斜したＸ方向反射面Ｓ２を有する。尚、クラスタＣ２の他の３つの傾斜面は光Ｌｂに対向していないので、反射面として作用しない。
【０００９】
図８に示すごとく、図７の “Ａ”の表示パターンＤＰＡと“Ｂ”の表示パターンＤＰＢとの重複する領域には、クラスタＣ１、Ｃ２と異なるクラスタＣ３が設けられている。この場合、クラスタＣ３もクラスタＣ１、Ｃ２と９０°格子Ｇ１の交点上に設けられ、従って、クラスタＣ３の密度はクラスタＣ１、Ｃ２の密度と同一であり、クラスタＣ３の中心は９０°格子Ｇ１の交点に位置する。
【００１０】
図９の（Ｃ）に示すごとく、クラスタＣ３は、矩形状溝（広くは、平行四辺形状溝）よりなり、光Ｌａに対向して傾斜したＹ方向反射面Ｓ３ａ及び光Ｌｂに対向して傾斜したＸ方向反射面Ｓ３ｂを有し、この場合、Ｙ方向反射面Ｓ３ａとＸ方向反射面Ｓ３ｂとは直交している。尚、クラスタＣ３の他の２つの傾斜面は光Ｌａ、Ｌｂのいずれにも対向していないので、反射面として作用しない。この結果、表示パターンＤＰＡはクラスタＣ１のＹ方向反射面Ｓ１及びクラスタＣ３のＹ方向反射面Ｓ３ａよりなり、また、表示パターンＤＰＢはクラスタＣ２のＸ方向反射面Ｓ２及びクラスタＣ３のＸ方向反射面Ｓ３ｂよりなる。
【００１１】
図７、図８においては、導光板１の入光端面１ａに入射したＬＥＤパッケージ２１、２２、…、２５からの光Ｌａは表示パターンＤＰＡのクラスタＣ１のＹ方向反射面Ｓ１及びクラスタＣ３のＹ方向反射面Ｓ３ａで全反射して導光板１の出光面１ｄから出射し、これにより、出光面１ｄ側における観察者は表示パターンＤＰＡを視認できる。同様に、導光板１の入光端面１ｂに入射したＬＥＤパッケージ３１、３２、…、３５からの光Ｌｂは表示パターンＤＰＢのクラスタＣ２のＸ方向反射面Ｓ２及びクラスタＣ３のＸ方向反射面Ｓ３ｂで全反射して導光板１の出光面１ｄから出射し、これにより、出光面１ｄ側における観察者は表示パターンＤＰＢを視認できる。
【００１２】
図７、図８、図９に示す従来の表示装置においては、２つの光源２、３からの光を受けて光を全反射するためのクラスタＣ３の密度はクラスタＣ１、Ｃ２の密度と同一であり、また、クラスタＣ３は、溝の内角αが１８０°未満であるので、頂点Ｔの数が少なくなり、表示に寄与しない雑光が少なくなり、この結果、表示均一性を向上できる。
【００１３】
尚、図７においては、光源２が設けられた導光板１の入光端面１ａと光源３が設けられた導光板１の入光端面１ｂとは直交しているが、溝の内角αが１８０°未満である限り、光源２が設けられた導光板１の入光端面１ａと光源３が設けられた導光板１の入光端面１ｂとは直交してなくともよい。この場合には、９０°格子Ｇ２は菱形格子等となり、クラスタＣ３は矩形状溝ではなく平行四辺形状溝となる。
【先行技術文献】
【特許文献】
【００１４】
【特許文献１】特開２００６−７５３６２号公報
【特許文献２】特表２００３−５１９８１０号公報（特許第４７４１１４２号）
【特許文献３】特開２０１６−１１８６６７号公報
【発明の概要】
【発明が解決しようとする課題】
【００１５】
しかしながら、図７、図８、図９に示す従来の表示装置においては、クラスタＣ１、Ｃ２、Ｃ３の各中心が９０°格子Ｇ１の交点に位置するので、クラスタＣ１のＹ方向直線状溝がクラスタＣ３の矩形状溝と同一線上に対応している場合であっても、図８に示すごとく、クラスタＣ１のＹ方向反射面Ｓ１はクラスタＣ３のＹ方向反射面Ｓ３ａと同一線上に配置されず、ΔＸだけずれており、また、クラスタＣ２のＸ方向直線状溝がクラスタＣ３の矩形状溝と同一線上に対応している場合であっても、クラスタＣ２のＸ方向反射面Ｓ２はクラスタＣ３のＸ方向反射面Ｓ３ｂと同一線上に配置されず、ΔＹだけずれている。この結果、発光の際には、ずれΔＸ、ΔＹによってクラスタＣ１、Ｃ２とクラスタＣ３との間で微妙な配光のずれが生じて表示パターンＤＰＡ、ＤＰＢの一方の観察に他方の表示パターンが重複して見え、この結果、見栄えが悪くなるという課題がある。
【課題を解決するための手段】
【００１６】
上述の課題を解決するために、本発明に係る表示装置は、導光板と、導光板の複数の入光端面側に設けられ、出射光の方向が異なる複数の光源と、導光板の反出光面に設けられ、各光源の光によって照射されこれらの光を導光板の出光面へ反射させる複数の表示パターンとを具備し、１個の表示パターンのみが存在する非重複領域には、当該表示パターンの光源の出射光に対向して傾斜した面を有する直線状溝よりなる第１のクラスタを設け、２個以上の表示パターンが重複して存在する重複領域には、当該重複する各表示パターンの光源の出射光に対向して傾斜した反射面を有する多角形状溝よりなる第２のクラスタを設け、直線状溝の反射面と多角形状溝の反射面とが同一線上に配置されていることを含むものである。
【発明の効果】
【００１７】
本発明によれば、第１のクラスタの反射面と第２のクラスタの反射面とのずれがないので、発光の際には、これらの間の配光差をなくし、観察すべき表示パターンに他の表示パターンの重複がなくなり、この結果、見栄えを良くできる。
【図面の簡単な説明】
【００１８】
【図１】本発明に係る表示装置の第１の実施の形態を示す部分拡大平面図である。
【図２】図１のクラスタの詳細を示す斜視図である。
【図３】本発明に係る表示装置の第２の実施の形態を示す全体平面図である。
【図４】図３の円ＩＶ内の部分拡大平面図である。
【図５】図４のクラスタの詳細を示す斜視図である。
【図６】導光板を用いた表示装置の表示原理を示す図であって、（Ａ）は全体断面図、（Ｂ）は（Ａ）のクラスタの斜視図である。
【図７】従来の表示装置を示す全体平面図である。
【図８】図７の円ＶＩＩＩ内の部分拡大平面図である。
【図９】図８のクラスタの詳細を示す斜視図である。
【発明を実施するための形態】
【００１９】
図１は本発明に係る表示装置の第１の実施の形態を示す部分拡大平面図である。尚、図１の全体平面図も図７であり、図１は図７の円ＶＩＩＩ内の部分拡大図である。
【００２０】
図１においては、表示パターンＤＰＡは９０°格子Ｇ２の交点を避けて９０°格子Ｇ２の格子線に沿って形成されたＹ方向直線状溝よりなる多数のクラスタＣ１によって構成され、また、表示パターンＤＰＢは９０°格子Ｇ２の交点を避けて９０°格子Ｇ２の格子線に沿って形成されたＸ方向直線状溝よりなる多数のクラスタＣ２によって構成されている。この場合、クラスタＣ１の密度とクラスタＣ２の密度とは同一である。さらに、“Ａ”の表示パターンＤＰＡと“Ｂ”の表示パターンＤＰＢとの重複する領域に設けられたクラスタＣ３もクラスタＣ１、Ｃ２と９０°格子Ｇ２の交点を避けて９０°格子Ｇ２の格子線に沿って設けられ、従って、クラスタＣ３の密度はクラスタＣ１、Ｃ２の密度と同一である。
【００２１】
図１、図２においては、上述のごとく、クラスタＣ１のＹ軸方向反射面Ｓ１、クラスタＣ２のＸ軸方向反射面Ｓ２及びクラスタＣ３のＹ軸方向反射面Ｓ１ａ、Ｘ軸方向反射面Ｓ２は、９０°格子Ｇ２の交点を避けて９０°格子Ｇ２の格子線に沿って位置している。従って、クラスタＣ１のＹ軸方向直線溝がクラスタＣ３の矩形状溝と同一線上に対応している場合、クラスタＣ１のＹ軸方向反射面Ｓ１はクラスタＣ３のＹ軸方向反射面Ｓ３ａと同一線上に配置され、従って、ずれはない（ΔＸ＝０）。また、クラスタＣ２のＸ軸方向直線溝がクラスタＣ３の矩形状溝と同一線上に対応している場合、クラスタＣ２のＸ軸方向反射面Ｓ２はクラスタＣ３のＸ軸方向反射面Ｓ３ｂと同一線上に配置され、従って、ずれはない（ΔＹ＝０）。この結果、発光の際には、クラスタＣ１、Ｃ２とクラスタＣ３との間には配光の差が生ぜず見栄えをよくできる。
【００２２】
図３は本発明に係る表示装置の第２の実施の形態を示す全体平面図、図４は図３の円ＩＶ内の部分拡大平面図である。
【００２３】
図３においては、光源１２として導光板１１の入光端面１１ａ側に複数のＬＥＤパッケージ１２１、１２２、１２３を１列に設け、また、光源１３として導光板１１の入光端面１１ｂ側に複数のＬＥＤパッケージ１３１、１３２、１３３を１列に設け、さらに、光源１４として導光板１１の入光端面１１ｃ側に複数のＬＥＤパッケージ１４１、１４２、１４３を１列に設けてある。入光端面１１ａ、１１ｂ、１１ｃは装置中心に対して１２０°づつずれている。ＬＥＤパッケージ１２１、１２２、１２３からの光Ｌａは導光板１１の反出光面１１ｄに設けられた“Ａ”の表示パターンＤＰＡを照射し、また、ＬＥＤパッケージ１３１、１３２、１３３からの光Ｌｂは導光板１１の反出光面１１ｄに設けられた“Ｂ”の表示パターンＤＰＢを照射し、さらに、ＬＥＤパッケージ１４１、１４２、１４３からの光Ｌｃは導光板１１の反出光面１１ｄに設けられた“Ｃ”の表示パターンＤＰＣを照射する。
【００２４】
図４に示すごとく、表示パターンＤＰＡ、ＤＰＢ、ＤＰＣはクラスタＣ１１、Ｃ１２、Ｃ１３、Ｃ１４、Ｃ１５、Ｃ１６及びＣ１７によって構成されている。この場合、クラスタＣ１１、Ｃ１２、Ｃ１３、Ｃ１４、Ｃ１５、Ｃ１６及びＣ１７は６０°格子Ｇ３に形成されており、従って、クラスタの密度は一定で均一である。
【００２５】
クラスタＣ１１は“Ａ”の表示パターンＤＰＡのみの領域に形成される。すなわち、図５の（Ａ）に示すごとく、クラスタＣ１１はＸ方向の１２０°時計回りのＤ（−１２０°）方向直線状溝よりなり、Ｄ（−１２０°）方向の傾斜した反射面Ｓ１１ａを有する。反射面Ｓ１１ａはＬＥＤパッケージ１２１、１２２、１２３からの光Ｌａによって照射される。この場合、反射面Ｓ１１ａは６０°格子Ｇ３の交点を避けて６０°格子Ｇ３の格子線に沿って位置する。尚、他の１つの傾斜面は光Ｌａに対向していないので、反射面として作用しない。
【００２６】
クラスタＣ１２は“Ｂ”の表示パターンＤＰＢのみの領域に形成される。すなわち、図５の（Ｂ）に示すごとく、クラスタＣ１２はＸ方向直線状溝よりなり、Ｘ方向の傾斜した反射面Ｓ１１ｂを有する。反射面Ｓ１２ｂはＬＥＤパッケージ１３１、１３２、１３３からの光Ｌｂによって照射される。この場合、反射面Ｓ１２ｂは６０°格子Ｇ３の交点を避けて６０°格子Ｇ３の格子線に沿って位置する。尚、他の１つの傾斜面は光Ｌｂに対向していないので、反射面として作用しない。
【００２７】
クラスタＣ１３は“Ｃ”の表示パターンＤＰＣのみの領域に形成される。すなわち、図５の（Ｃ）に示すごとく、クラスタＣ１３はＸ方向の１２０°反時計回りのＤ（＋１２０°）方向直線状溝よりなり、Ｄ（＋１２０°）方向の傾斜した反射面Ｓ１３Ｃを有する。反射面Ｓ１３ｃはＬＥＤパッケージ１４１、１４２、１４３からの光Ｌｃによって照射される。この場合、反射面Ｓ１３ｃは６０°格子Ｇ３の交点を避けて６０°格子Ｇ３の格子線に沿って位置する。尚、他の１つの傾斜面は光Ｌｃに対向していないので、反射面として作用しない。
【００２８】
クラスタＣ１４は“Ｃ”の表示パターンＤＰＣ及び“Ａ”の表示パターンＤＰＡが重複する領域に形成される。すなわち、図５の（Ｄ）に示すごとく、クラスタＣ１４は菱形状（広くは、平行四辺形状）溝よりなり、Ｄ（＋１２０°）方向の傾斜した反射面Ｓ１４ｃ及びＤ（−１２０°）方向の傾斜した反射面Ｓ１４ａを有する。反射面Ｓ１４ｃはＬＥＤパッケージ１４１、１４２、１４３からの光Ｌｃによって照射され、また、反射面Ｓ１４ａはＬＥＤパッケージ１２１、１２２、１２３からの光Ｌａによって照射される。この場合、反射面Ｓ１４ｃ、Ｓ１４ａは６０°格子Ｇ３の交点を避けて６０°格子Ｇ３の格子線に沿って位置する。尚、他の２つの傾斜面は光Ｌｃ、Ｌａに対向していないので、反射面として作用しない。
【００２９】
クラスタＣ１５は“Ａ”の表示パターンＤＰＡ及び“Ｂ”の表示パターンＤＰＢが重複する領域に形成される。すなわち、図５の（Ｅ）に示すごとく、クラスタＣ１５は菱形状（広くは、平行四辺形状）溝よりなり、Ｄ（−１２０°）方向の傾斜した反射面Ｓ１５ｃ及びＸ方向の傾斜した反射面Ｓ１５ａを有する。反射面Ｓ１５ｃはＬＥＤパッケージ１４１、１４２、１４３からの光Ｌｃによって照射され、また、反射面Ｓ１５ａはＬＥＤパッケージ１２１、１２２、１２３からの光Ｌａによって照射される。この場合、反射面Ｓ１５ｃ、Ｓ１５ａは６０°格子Ｇ３の交点上を避けて６０°格子Ｇ３の格子線に沿って位置する。尚、他の２つの傾斜面は光Ｌａ、Ｌｂに対向していないので、反射面として作用しない。
【００３０】
クラスタＣ１６は“Ｂ”の表示パターンＤＰＢ及び“Ｃ”の表示パターンＤＰＣが重複する領域に形成される。すなわち、図５の（Ｆ）に示すごとく、クラスタＣ１６は菱形状（広くは、平行四辺形状）溝よりなり、Ｘ方向の傾斜した反射面Ｓ１６ｂ及びＤ（＋１２０°）方向の傾斜した反射面Ｓ１６ｃを有する。反射面Ｓ１６ｂはＬＥＤパッケージ１３１、１３２、１３３からの光Ｌｂによって照射され、また、反射面Ｓ１６ｃはＬＥＤパッケージ１４１、１４２、１４３からの光Ｌｃによって照射される。この場合、反射面Ｓ１６ｂ、Ｓ１６ｃは６０°格子Ｇ３の交点を避けて６０°格子Ｇ３の格子線に沿って位置する。尚、他の２つの傾斜面は光Ｌａ、Ｌｂに対向していないので、反射面として作用しない。
【００３１】
クラスタＣ１７は、“Ａ”の表示パターンＤＰＡ、“Ｂ”の表示パターンＤＰＢ及び“Ｃ”の表示パターンＤＰＣが重複する領域に形成される。すなわち、図５の（Ｇ）に示すごとく、クラスタＣ１７は三角形状溝よりなり、Ｘ方向の傾斜した反射面Ｓ１７ａ、Ｄ（＋１２０°）方向の傾斜した反射面Ｓ１７ｂ及びＤ（−１２０°）方向の傾斜した反射面Ｓ１７ｃを有する。反射面Ｓ１７ａはＬＥＤパッケージ１２１、１２２、１２３からの光Ｌａによって照射され、また、反射面Ｓ１４ｂはＬＥＤパッケージ１３１、１３２、１３３からの光Ｌｂによって照射され、さらに、反射面Ｓ１４ｃはＬＥＤパッケージ１４１、１４２、１４３からの光Ｌｃによって照射される。この場合、反射面Ｓ１７ａ、Ｓ１７ｂ、Ｓ１７ｃは６０°格子Ｇ３の交点を避けて６０°格子Ｇ３の格子線に沿って位置する。
【００３２】
クラスタＣ１７は、“Ａ”の表示パターンＤＰＡ、“Ｂ”の表示パターンＤＰＢ及び“Ｃ”の表示パターンＤＰＣが重複する領域に形成される。すなわち、図５の（Ｇ）に示すごとく、クラスタＣ１７は三角形状溝よりなり、Ｘ方向の傾斜した反射面Ｓ１７ａ、Ｄ（＋１２０°）方向の傾斜した反射面Ｓ１７ｂ及びＤ（−１２０°）方向の傾斜した反射面Ｓ１７ｃを有する。反射面Ｓ１７ａはＬＥＤパッケージ１２１、１２２、１２３からの光Ｌａによって照射され、また、反射面Ｓ１４ｂはＬＥＤパッケージ１３１、１３２、１３３からの光Ｌｂによって照射され、さらに、反射面Ｓ１４ｃはＬＥＤパッケージ１４１、１４２、１４３からの光Ｌｃによって照射される。この場合、反射面Ｓ１７ａ、Ｓ１７ｂ、Ｓ１７ｃは６０°格子Ｇ３の交点を避けて６０°格子Ｇ３の格子線に沿って位置する。
【００３３】
図３、図４においては、導光板１１の入光端面１１ａに入射したＬＥＤパッケージ１２１、１２２、１２３からの光Ｌａは、表示パターンＤＰＡのクラスタＣ１１の反射面Ｓ１１ａ、クラスタＣ１４の反射面Ｓ１４ａ、クラスタＣ１５の反射面Ｓ１５ａ及びクラスタＣ１７の反射面Ｓ１７ａで全反射して導光板１１の出光面１１ｄから出射し、これにより、出光面１１ｄ側における観察者は表示パターンＤＰＡを視認できる。また、導光板１１の入光端面１１ｂに入射したＬＥＤパッケージ１３１、１３２、１３３からの光Ｌｂは、表示パターンＤＰＢのクラスタＣ１２の反射面Ｓ１２ｂ、クラスタＣ１５の反射面Ｓ１５ｂ、クラスタＣ１６の反射面Ｓ１６ｂ及びクラスタＣ１７の反射面Ｓ１７ｂで全反射して導光板１１の出光面１１ｄから出射し、これにより、出光面１１ｄ側における観察者は表示パターンＤＰＢを視認できる。さらに、導光板１１の入光端面１１ｃに入射したＬＥＤパッケージ１４１、１４２、１４３からの光Ｌｃは、表示パターンＤＰＣのクラスタＣ１３の反射面Ｓ１３ｃ、クラスタＣ１４の反射面Ｓ１４ｃ、クラスタＣ１６の反射面Ｓ１６ｃ及びクラスタＣ１７の反射面Ｓ１７ｃで全反射して導光板１１の出光面１１ｄから出射し、これにより、出光面１１ｄ側における観察者は表示パターンＤＰＣを視認できる。
【００３４】
図３、図４、図５に示す表示装置においては、２つの光源１３、１４；１４、１２；１２，１３からの光を受けて光を全反射するためのクラスタＣ１４、Ｃ１５、Ｃ１６の密度はクラスタＣ１１、Ｃ１２、Ｃ１３の密度と同一であり、また、クラスタＣ１４、Ｃ１５、Ｃ１６には、頂点Ｔの数が少なく、また、溝の内角αも１８０°未満であるので、表示に寄与しない雑光が少なくなり、この結果、表示均一性を向上できる。同様に、３つの光源１２、１３、１４からの光を受けて光を全反射するためのクラスタＣ１７の密度もクラスタＣ１１、Ｃ１２、Ｃ１３の密度と同一であり、また、クラスタＣ１７は、溝の内角αが１８０°であるので、頂点Ｔの数が少なく、表示に寄与しない雑光が少なくなり、この結果、表示均一性を向上できる。
【００３５】
また、図３、図４、図５の表示装置においては、クラスタＣ１１の反射面Ｓ１１ａ、クラスタＣ１４の反射面Ｓ１４ａ、クラスタＣ１５の反射面Ｓ１５ａ及びクラスタＣ１７の反射面Ｓ１７ａが６０°格子Ｇ３の同一格子線つまり同一線上に配置されている場合、これらの間にずれはない。この結果、ＬＥＤパッケージ１２のＬＥＤパッケージ１２１、１２２、１２３の光Ｌａによる発光の際には、これらのクラスタ間には配光の差は生ぜず、見栄えをよくできる。また、クラスタＣ１２の反射面Ｓ１２ｂ、クラスタＣ１５の反射面Ｓ１５ｂ、クラスタＣ１６の反射面Ｓ１６ｂ及びクラスタＣ１７の反射面Ｓ１７ｂが６０°格子Ｇ３の同一格子線つまり同一線上に配置されている場合、これらの間にずれはない。この結果、ＬＥＤパッケージ１３のＬＥＤパッケージ１３１、１３２、１３３の光Ｌｂによる発光の際には、これらのクラスタ間には配光の差は生ぜず、見栄えをよくできる。さらに、クラスタＣ１３の反射面Ｓ１３ｃ、クラスタＣ１４の反射面Ｓ１４ｃ、クラスタＣ１６の反射面Ｓ１６ｃ及びクラスタＣ１７の反射面Ｓ１７ｃが６０°格子Ｇ３の同一格子線つまり同一線上に配置されている場合、これらの間にずれはない。この結果、ＬＥＤパッケージ１４のＬＥＤパッケージ１４１、１４２、１４３の光Ｌａによる発光の際には、これらのクラスタ間には配光の差は生ぜず、見栄えをよくできる。
【００３６】
尚、図３、図４、図５においては、光源１２が設けられた導光板１１の入光端面１１ａ、光源１３が設けられた導光板１１の入光端面１１ｂ及び光源１４が設けられた導光板１１の入光端面１１ｃは１２０°づつ等角でずれて各反射面が６０°格子Ｇ３の格子線に位置しているが、他の非等角度でもよい。
【００３７】
また、図１、図２、図３、図４、図５のクラスタＣ１、Ｃ２、Ｃ３、Ｃ１１〜Ｃ１６においては、各光に対向して反射面を設けてあるが、光の入射方向に対向しない他方の反射面は垂直面でもよい。さらに、クラスタＣ１、Ｃ２、Ｃ３、Ｃ１１〜Ｃ１６の反射面は全反射を利用しているが、溝に反射層を形成し、この反射層の反射を利用してもよい。
【００３８】
このように、上述の実施の形態においては、１つの光源（ＬＥＤパッケージ）から光を受けて全反射するためのクラスタは光の方向に対向する反射面を有し、また、２つの光源（ＬＥＤパッケージ）から光を受けて全反射するためのクラスタは各光の方向に対向した反射面を有する矩形状溝あるいは菱形状溝（広くは、平行四辺形状溝）をなし、さらに、３つの光源（ＬＥＤパッケージ）から光を受けて全反射するためのクラスタは各光の方向に対向する反射面を有する三角形状溝をなしている。尚、一般に、ｎ（ｎ≧３）個の光源（ＬＥＤパッケージ）から光を受けて全反射するためのクラスタは、各光の方向に対向する反射面を有するｎ角形状溝をなしていればよい。
【００３９】
さらに、本発明は上述の実施の形態の自明の範囲内のいかなる変更にも適用し得る。
【符号の説明】
【００４０】
１、１１：導光板
１ａ、１ｂ、１１ａ、１１ｂ、１１ｃ：入光端面
１ｃ、１１ｄ：反出光面
１ｄ、１１ｅ：出光面
２、３、１２、１３、１４：光源
２１、２２、…、２５、３１、３２、…、３５、１２１、１２２、１２３、１３１、１３２、１３３、１４１、１４２、１４３：ＬＥＤパッケージ
Ｌａ、Ｌｂ、Ｌｃ：光
Ｃ１、Ｃ２、Ｃ３、Ｃ１１、Ｃ１２、…、Ｃ１７：クラスタ
Ｓ１ａ、Ｓ２ｂ、Ｓ３ａ、Ｓ３ｂ、Ｓ１１ａ、Ｓ１２ｂ、Ｓ１３ｃ、Ｓ１４ｂ、Ｓ１４ｃ、Ｓ１５ｃ、Ｓ１５ａ、Ｓ１６ａ、Ｓ１６ｂ、Ｓ１７ａ、Ｓ１７ｂ、Ｓ１７ｃ：反射面
１０１：導光板
１０１ａ：入光端面
１０１ｂ：反出光面
１０１ｃ：出光面
１０２：光源
１０３：クラスタ
１０３１：反射面
１０４：観察者
Ｌ１０１：光
Ｔ：頂点
α：溝の内角
【図１】
2018197802.tif 000003
【図２】
2018197802.tif 000004
【図３】
2018197802.tif 000005
【図４】
2018197802.tif 000006
【図５】
2018197802.tif 000007
【図６】
2018197802.tif 000008
【図７】
2018197802.tif 000009
【図８】
2018197802.tif 000010
【図９】
2018197802.tif 000011